【手続補正書】
【提出日】平成20年11月12日(2008.11.12)
【手続補正１】
【補正対象書類名】特許請求の範囲
【補正対象項目名】請求項１
【補正方法】変更
【補正の内容】
【請求項１】
画像読み取り装置であって、
第１及び第２の記憶部と、
前記第１及び第２の記憶部に対するファイルの書き込み及び読み出しを制御する制御手段と、
前記第１の記憶部に格納されている全ファイルのうちの一部を構成する１以上の削除対象ファイル又は１以上の非削除対象ファイルを指定する指定手段と、
を備え、
前記制御手段が、
前記指定手段による前記１以上の削除対象ファイル又は前記１以上の非削除対象ファイルの指定に応答して、前記第１の記憶部のデータ管理領域から前記１以上の非削除対象ファイルに係るデータ管理情報を前記第２の記憶部に記憶させ、前記データ管理領域に記述されたデータを削除した後に、前記第２の記憶部に記憶された前記データ管理情報を前記データ管理領域に記述することで、前記第１の記憶部から前記１以上の削除対象ファイルを削除する所定のファイル削除動作を実行することを特徴とする画像読み取り装置。
【手続補正２】
【補正対象書類名】特許請求の範囲
【補正対象項目名】請求項４
【補正方法】変更
【補正の内容】
【請求項４】
請求項１から請求項３のいずれかに記載された画像読み取り装置であって、
前記第１の記憶部が、
前記画像読み取り装置に対して着脱自在に構成されていることを特徴とする画像読み取り装置。
【手続補正３】
【補正対象書類名】特許請求の範囲
【補正対象項目名】請求項５
【補正方法】変更
【補正の内容】
【請求項５】
請求項１から請求項４のいずれかに記載の画像読み取り装置であって、
前記所定のファイル削除動作が、
前記指定手段による前記１以上の削除対象ファイル又は前記１以上の非削除対象ファイルの指定に応答して、前記第１の記憶部のデータ管理領域から前記１以上の非削除対象ファイルに係るデータ管理情報を前記第２の記憶部に記憶させ、前記データ管理領域に記述された全てのデータを削除した後に、前記第２の記憶部に記憶された前記データ管理情報を前記データ管理領域に記述することで、前記第１の記憶部から前記１以上の削除対象ファイルを削除する動作であることを特徴とする画像読み取り装置。
【手続補正４】
【補正対象書類名】特許請求の範囲
【補正対象項目名】請求項９
【補正方法】変更
【補正の内容】
【請求項９】
請求項１から請求項８のいずれかに記載の画像読み取り装置であって、
前記制御手段が、
前記第１の記憶部に格納される全ファイルの数に対する前記１以上の非削除対象ファイルの数の比率が所定の閾値未満である場合に、前記所定のファイル削除動作を実行することを特徴とする画像読み取り装置。
【手続補正５】
【補正対象書類名】特許請求の範囲
【補正対象項目名】請求項１１
【補正方法】変更
【補正の内容】
【請求項１１】
請求項８から請求項１０のいずれかに記載の画像読み取り装置であって、
前記制御手段が、
前記第１の記憶部に格納される全ファイルの数を予め認識しておき、前記指定手段による前記１以上の削除対象ファイルの指定に応答して、前記全ファイルの数から前記１以上の削除対象ファイルの数を減算することで、前記１以上の非削除対象ファイルの数を認識することを特徴とする画像読み取り装置。
【手続補正６】
【補正対象書類名】特許請求の範囲
【補正対象項目名】請求項１４
【補正方法】変更
【補正の内容】
【請求項１４】
画像読み取り装置に搭載された第１の記憶部に格納されているファイルを削除するファイル削除方法であって、
(a)前記第１の記憶部に格納されている全ファイルのうちの一部を構成する１以上の削除対象ファイル又は１以上の非削除対象ファイルを指定するステップと、
(b)前記第１の記憶部のデータ管理領域から前記１以上の非削除対象ファイルに係るデータ管理情報を第２の記憶部に記憶させ、前記データ管理領域に記述されたデータを削除した後に、前記第２の記憶部に記憶された前記データ管理情報を前記データ管理領域に記述することで、前記第１の記憶部から前記１以上の削除対象ファイルを削除する所定のファイル削除動作を実行するステップと、
を備えることを特徴とするファイル削除方法。
【手続補正７】
【補正対象書類名】明細書
【補正対象項目名】００１１
【補正方法】変更
【補正の内容】
【００１１】
上記の課題を解決するために、請求項１の発明は、画像読み取り装置であって、第１及び第２の記憶部と、前記第１及び第２の記憶部に対するファイルの書き込み及び読み出しを制御する制御手段と、前記第１の記憶部に格納されている全ファイルのうちの一部を構成する１以上の削除対象ファイル又は１以上の非削除対象ファイルを指定する指定手段とを備え、前記制御手段が、前記指定手段による前記１以上の削除対象ファイル又は前記１以上の非削除対象ファイルの指定に応答して、前記第１の記憶部のデータ管理領域から前記１以上の非削除対象ファイルに係るデータ管理情報を前記第２の記憶部に記憶させ、前記データ管理領域に記述されたデータを削除した後に、前記第２の記憶部に記憶された前記データ管理情報を前記データ管理領域に記述することで、前記第１の記憶部から前記１以上の削除対象ファイルを削除する所定のファイル削除動作を実行することを特徴とする。
【手続補正８】
【補正対象書類名】明細書
【補正対象項目名】００１４
【補正方法】変更
【補正の内容】
【００１４】
また、請求項４の発明は、請求項１から請求項３のいずれかに記載された画像読み取り装置であって、前記第１の記憶部が、前記画像読み取り装置に対して着脱自在に構成されていることを特徴とする。
【手続補正９】
【補正対象書類名】明細書
【補正対象項目名】００１５
【補正方法】変更
【補正の内容】
【００１５】
また、請求項５の発明は、請求項１から請求項４のいずれかに記載の画像読み取り装置であって、前記所定のファイル削除動作が、前記指定手段による前記１以上の削除対象ファイル又は前記１以上の非削除対象ファイルの指定に応答して、前記第１の記憶部のデータ管理領域から前記１以上の非削除対象ファイルに係るデータ管理情報を前記第２の記憶部に記憶させ、前記データ管理領域に記述された全てのデータを削除した後に、前記第２の記憶部に記憶された前記データ管理情報を前記データ管理領域に記述することで、前記第１の記憶部から前記１以上の削除対象ファイルを削除する動作であることを特徴とする。
【手続補正１０】
【補正対象書類名】明細書
【補正対象項目名】００１９
【補正方法】変更
【補正の内容】
【００１９】
また、請求項９の発明は、請求項１から請求項８のいずれかに記載の画像読み取り装置であって、前記制御手段が、前記第１の記憶部に格納される全ファイルの数に対する前記１以上の非削除対象ファイルの数の比率が所定の閾値未満である場合に、前記所定のファイル削除動作を実行することを特徴とする。
【手続補正１１】
【補正対象書類名】明細書
【補正対象項目名】００２１
【補正方法】変更
【補正の内容】
【００２１】
また、請求項１１の発明は、請求項８から請求項１０のいずれかに記載の画像読み取り装置であって、前記制御手段が、前記第１の記憶部に格納される全ファイルの数を予め認識しておき、前記指定手段による前記１以上の削除対象ファイルの指定に応答して、前記全ファイルの数から前記１以上の削除対象ファイルの数を減算することで、前記１以上の非削除対象ファイルの数を認識することを特徴とする。
【手続補正１２】
【補正対象書類名】明細書
【補正対象項目名】００２４
【補正方法】変更
【補正の内容】
【００２４】
また、請求項１４の発明は、画像読み取り装置に搭載された第１の記憶部に格納されているファイルを削除するファイル削除方法であって、(a)前記第１の記憶部に格納されている全ファイルのうちの一部を構成する１以上の削除対象ファイル又は１以上の非削除対象ファイルを指定するステップと、(b)前記第１の記憶部のデータ管理領域から前記１以上の非削除対象ファイルに係るデータ管理情報を第２の記憶部に記憶させ、前記データ管理領域に記述されたデータを削除した後に、前記第２の記憶部に記憶された前記データ管理情報を前記データ管理領域に記述することで、前記第１の記憶部から前記１以上の削除対象ファイルを削除する所定のファイル削除動作を実行するステップとを備えることを特徴とする。